(57)【要約】【課題】ディスク再生装置において、操作円盤部及び円盤部の回転回数とデジタルオーディオデータの再生時間を一定の比例関係に合わせる。【解決手段】ディスク再生装置において、ディスクからオーディオデータを再生する再生部と、再生したオーディオデータを記憶する記憶部と、記憶部の読み出し速度及び順序を指示する読出指示部を備え、読出指示部は、記憶部の読み出し速度及び順序を指示する操作円盤部と、操作円盤部を載置する円盤部と、円盤部を回転駆動する駆動部と、操作円盤部の回転速度及び方向を検出する第１検出部と、円盤部の回転速度を検出する第２検出部と、操作円盤部一周分の再生時間を設定する設定部と、操作円盤部の回転速度及び方向に従って記憶部の読み出し速度及び順序を制御し、円盤部一周分の回転時間を設定部が設定した再生時間に一致させて円盤部の回転速度を一定に制御する制御部を備える。【選択図】  図１
2004295956.tif 000002
【特許請求の範囲】
【請求項１】
ディスクに記録されたオーディオデータを再生する再生部と、前記再生部が再生したオーディオデータを記憶する記憶部と、前記記憶部に記憶したオーディオデータの読み出し速度及び読み出し順序を指示する読出指示部とを備えたディスク再生装置において、前記読出指示部は、前記記憶部に記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記操作円盤部一周あたりのオーディオデータの再生時間を設定する設定部と、前記第１検出部により検出された前記操作円盤部の回転速度及び回転方向に従って前記記憶部に記憶したオーディオデータの読み出し速度及び読み出し順序を制御するとともに前記円盤部の一周あたりの回転時間を前記設定部によって設定した再生時間に一致させて前記第２検出部により検出された前記円盤部の回転速度を一定に制御する制御部とを備えることを特徴とするディスク再生装置。
【発明の詳細な説明】
【０００１】
【発明の属する技術分野】
本発明は、ディスクから再生したオーディオデータをメモリに記憶し、メモリに記憶したオーディオデータの読み出し速度及び読み出し順序を、操作円盤部の操作によって変化させることができるディスク再生装置に関する。
【０００２】
【従来の技術】
ディスクジョッキー（Ｄｉｓｃ  Ｊｏｃｋｅｙ（以下、ＤＪという。））と呼ばれるオーディオ再生装置を操作してオーディオデータを再生する操作者は、アナログレコードまたはコンパクトディスク（Ｃｏｍｐａｃｔ  Ｄｉｓｃ（以下、ＣＤという。））等のディスクに記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、アナログレコードを素早く正方向又は逆方向に回すことにより擦れ音を発生させる。
【０００３】
このアナログレコードプレーヤを用いたスクラッチ再生と同様の特殊再生を行う機能を備えたＤＪ用のＣＤプレーヤがある。このＣＤプレーヤは、ジョグダイヤルとメモリを備えていて、ＣＤから再生したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードプレーヤと同様のスクラッチ再生等の特殊再生を行うことができる（特許文献１参照）。
【０００４】
ＤＪ用のＣＤプレーヤにおいて、ジョグダイヤルが操作されない場合、ＣＤに記録されたオーディオデータを標準速度で再生（以下、通常再生という。）する。ジョグダイヤルが回転操作された場合、ＣＤプレーヤは、ジョグダイヤルの回転速度及び回転方向を検出し、検出した回転速度及び回転方向に応じて、ＣＤから再生しメモリに記憶したオーディオデータの読み出し速度及び読み出し順序を変える特殊再生を行う。
【０００５】
上記ジョグダイヤルを、モータ等によって回転駆動される円盤部に操作円盤部を載置する構成とした光ディスク再生装置の発明を、本出願人は特許出願した（特願２００２−２４０４４３、平成１４年８月２１日出願）。この光ディスク再生装置において、操作円盤部は、円盤部に載置され、円盤部と同じ速度で回転しているとき、光ディスク再生装置は通常再生をする。操作円盤部が回転操作された場合、光ディスク再生装置は、操作円盤部の回転方向及び回転速度を検出して、メモリに記憶されたオーディオデータの読み出し順序及び読み出し速度を制御することによって、スクラッチ再生等の特殊再生をする。操作円盤部の回転操作が終了した場合、操作円盤部の回転は、直ちに円盤部の速度での回転と一致し、通常再生に戻る。
【０００６】
アナログレコードプレーヤを用いてスクラッチ再生を行う場合、ＤＪは、使用するアナログレコードの再生開始位置やスクラッチ再生を行う位置を目視で確認することができるようにするため、アナログレコードにシールを貼り付ける等の方法を用いて印を付けていた。ＤＪは、アナログレコードの再生位置を再生開始位置やスクラッチ再生を行う位置に合わせる場合、印を見て予めターンテーブルの回転した回数を数えておき、通常再生で回転したアナログレコードを、ターンテーブルの回転した回数分、素速く逆回転させて、再生位置を戻す操作を行っていた。
【０００７】
【特許文献１】
特開平６−０８９５０１号公報
【０００８】
【発明が解決しようとする課題】
回転駆動される円盤部に操作円盤部を載置する構成のジョグダイヤルを備えたディスク再生装置において、ＤＪが、操作円盤部にシールを貼り付ける等の方法で印を付けて、その印の位置に再生開始位置やスクラッチ再生を行う位置を目視で合わせようとする場合、ディスク再生装置は、円盤部の回転回数とＣＤ等から再生されるオーディオデータの再生位置の間に何ら相関関係がないためため、印の位置は、所望の再生開始位置やスクラッチ再生を行う位置と合わなくなる。
【０００９】
ＤＪ用のＣＤプレーヤにおいて、ＤＪはＣＤプレーヤの表示部に表示される再生時間を見て、再生開始位置やスクラッチ再生を行う位置を検索することもできる。しかし、この場合、ＤＪは、表示部の時間表示を確認しながら、操作円盤部を手で回転させ、再生開始位置やスクラッチ再生を行う位置を探すため、再生音を耳で、表示部の時間表示を目で、操作円盤部の操作を手で確認する。特に、手の操作と目での確認箇所が別のため、操作がしづらい問題があった。
本発明の目的は、ディスク再生装置において、ＤＪがアナログレコードの特殊再生を行う場合と同様に、操作円盤部に印を付けて、再生開始位置やスクラッチ再生を行う位置を合わせることができるようにするため、操作円盤部及び円盤部の回転回数とデジタルオーディオデータの再生時間を一定の比例関係に合わせることができるようにすることにある。
【００１０】
【課題を解決するための手段】
本発明の請求項１に記載のディスク再生装置は、ディスクに記録されたオーディオデータを再生する再生部と、前記再生部が再生したオーディオデータを記憶する記憶部と、前記記憶部に記憶したオーディオデータの読み出し速度及び読み出し順序を指示する読出指示部とを備えたディスク再生装置において、前記読出指示部は、前記記憶部に記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記操作円盤部一周あたりのオーディオデータの再生時間を設定する設定部と、前記第１検出部により検出された前記操作円盤部の回転速度及び回転方向に従って前記記憶部に記憶したオーディオデータの読み出し速度及び読み出し順序を制御するとともに前記円盤部の一周あたりの回転時間を前記設定部によって設定した再生時間に一致させて前記第２検出部により検出された前記円盤部の回転速度を一定に制御する制御部とを備えるものである。
【００１１】
【発明の実施の形態】
図１は、本発明のディスク再生装置の一実施例であるＣＤプレーヤの構成を示すブロック図である。
ターンテーブル１は、スピンドルモータ２の回転軸に固定され、ＣＤ３を保持する。サーボ制御部４は、スピンドルモータ２の回転駆動の線速度を制御する。また、サーボ制御部４は、光ピックアップ５のレーザ光をＣＤのピット列に正しくトレースさせるために、光ピックアップ５のフォーカス制御とトラッキング制御を行う。
【００１２】
光ピックアップ５はＣＤ３からデジタルオーディオデータを再生し、再生アンプ６に入力する。再生アンプ６は、デジタルオーディオデータを波形整形及び増幅し、信号処理部７に入力する。信号処理部７は、デジタルオーディオデータの復調、フォーカスエラー信号やトラッキングエラー信号等のエラー信号、同期信号の抜き出しをして、メモリ制御部８に入力する。
【００１３】
メモリ制御部８は、入力されたデジタルオーディオデータをランダムアクセスメモリ（Ｒａｎｄｏｍ  Ａｃｃｅｓｓ  Ｍｅｍｏｒｙ（以下、ＲＡＭという。））９に書き込む制御を行い、ＲＡＭ９は、デジタルオーディオデータを記憶する。ＲＡＭ９が記憶したデジタルオーディオデータは、メモリ制御部８の制御により読み出され、デジタルアナログ変換器（Ｄｉｇｉｔａｌ  ｔｏ  Ａｎａｌｏｇ  Ｃｏｎｖｅｒｔｅｒ（以下、ＤＡＣという。））１０に入力される。ＤＡＣ１０は、デジタルオーディオデータをアナログオーディオ信号に変換しアンプ１１に入力する。アンプ１１は、アナログオーディオ信号を増幅し出力端子１２に接続したスピーカ等に出力する。
【００１４】
制御部１３は、サーボ制御部４、信号処理部７、メモリ制御部８を制御する。制御部１３は、設定部１３ａを備える。設定部１３ａは、操作円盤部２０の一周あたりのデジタルオーディオデータの再生時間を設定する。表示部１４は、制御部１３に接続され、現在再生しているトラックの再生時間、トラックナンバー等を表示する。操作部１５は、制御部１３に接続され、読出指示部としての操作円盤部２０、再生開始ボタン、再生停止ボタン、イジェクトボタン、設定部１３ａに設定値を入力するボタン等を備える。操作円盤部２０の回転速度及び回転方向に応じて、ＣＤ３から再生されＲＡＭ９に記憶されたデジタルオーディオデータの読み出し速度及び読み出し順序を変えることができる。本実施例のディスク再生装置では、操作円盤部２０は、直径１０ｃｍ〜３０ｃｍのアナログレコードと同等の大きさであり、ディスク再生装置の上面に取り付けられている。
【００１５】
図２は、図１に示したＣＤプレーヤの操作円盤部２０を含む機構全体を側面から見た断面構成を示す図である。操作円盤部２０は、図１に示すＣＤプレーヤの上面のパネル２１に備えられる。パネル２１の下面に固定されたモータ２２の回転軸であるシャフト２２ａには、固定保持部２３が挿入され固定される。保持部２４は、シャフト２２ａに挿入され、固定保持部２３の上面に載置される。保持部２４は、摩擦係数の大きい部材であり、例えば、ゴム等の弾性体である。円盤部２５は、シャフト２２ａに挿入され、保持部２４の上面に載置される。円盤部２５は、下面にスリット部２５ａを備える。スリット部２５ａは、等間隔に長方形状の開口部を設けたリング状の板である。
【００１６】
シート２６は、シャフト２２ａに挿入され、円盤部２５の上面に載置される。シート２６は、摩擦係数が小さく、静電気が発生しにくい樹脂材料が用いられる。ここで、シート２６は、例えば、回転している円盤部２５の回転速度に、停止している操作円盤部２０が０．１〜０．２秒後に追従して回転できる程度の摩擦係数を有する部材を用いる。円盤部２５が回転しているとき、シート２６は摩擦係数が小さいが、操作円盤部２０の重さによって摩擦力が発生するので、円盤部２５が回転すると、シート２６、操作円盤部２０もともに回転する。ＤＪが、回転している操作円盤部２０に手を触れると、操作円盤部２０にその回転を止める力が働くが、シート２６は摩擦係数が小さいので、操作円盤部２０は円盤部２５の回転に追従せず、操作円盤部２０のみ回転を減速または停止する。
【００１７】
操作円盤部２０は、シャフト２２ａに挿入され、シート２６の上面に載置される。操作円盤部２０は、外周部に、等間隔に長方形状の開口部を設けたスリット部２０ａを備える。スリット部２０ａの開口部の数はスリット部２５ａの開口部の数と同じにする。ストッパ２７は、保持部２４、円盤部２５、シート２６、及び操作円盤部２０がシャフト２２ａから外れないように、シャフト２２ａに固定される。
【００１８】
光センサ部２８は、操作円盤部２０の回転速度及び回転方向を検出するために２個の光センサを備え、スリット部２０ａの開口部を検出できるようにパネル２１に取り付けられる。光センサ部２８は、スリット部２０ａの開口部を検出することによって、操作円盤部２０の回転速度及び回転方向に応じたパルス信号を発生し、制御部１３に入力する。
【００１９】
光センサ部２９は、円盤部２５の回転速度を検出するための光センサを備え、スリット部２５ａの開口部を検出できるようにパネル２１に取り付けられる。光センサ部２９は、スリット部２５ａの開口部を検出することによって、円盤部２５の回転速度に応じたパルス信号を発生し、制御部１３に入力する。
【００２０】
制御部１３は、光センサ部２８から入力されるパルス信号に応じて、ＲＡＭ９に記憶されたデジタルオーディオデータの読み出し速度及び読み出し方向を判別し、メモリ制御部８を制御する。また、制御部１３は、後述するように、光センサ部２９から入力されるパルス信号によって、モータ２２の回転速度を制御する。このとき、制御部１３は、円盤部２５の１周当たりの回転時間が設定部１３ａに設定されたデジタルオーディオデータの再生時間に一致するようにモータ２２の回転速度を制御する。即ち、円盤部２５は、１周当たりの回転時間が、設定部１３ａに設定されたデジタルオーディオデータの再生時間に一致する一定の回転速度で回転する。円盤部２５の回転方向は、アナログレコードプレーヤのターンテーブルと同じ回転方向（時計回り）とする。円盤部２５が回転するとき、保持部２４、シート２６、操作円盤部２０もともに回転する。
【００２１】
ＣＤ３の再生を開始する場合、制御部１３は、ＣＤ３の再生を開始するとともに、モータ２２を駆動し、円盤部２５の回転を開始する。モータ２２は、設定部１３ａに設定されたデジタルオーディオデータの再生時間に円盤部２５の１周当たりの回転時間が一致する回転速度で回転する。円盤部２５の回転を開始した後、
円盤部２５の回転速度が設定部１３ａに設定されたデジタルオーディオデータの再生時間に円盤部２５の１周当たりの回転時間が一致する回転速度になるまで、制御部１３は、円盤部２５の回転速度を検出する光センサ部２９から入力されるパルス信号のパルス幅を検出し、このパルス幅が制御部１３内に予め設定された複数の回転速度に対応するパルス幅の中から設定部１３ａに設定されたデジタルオーディオデータの再生時間に円盤部２５の個別の回転時間が一致する回転速度に対応するパルス幅に一致するように、モータ２２の回転速度を制御する。
【００２２】
例えば、設定部１３ａで１秒と設定した場合、デジタルオーディオデータを予め定められた再生速度で１秒再生すると円盤部２５が１回転するように、円盤部２５の回転速度を制御する。デジタルオーディオデータは、フレームと呼ばれる単位（１フレーム＝１３．３ミリ秒）で区切られ、１秒間に７５フレームある。円盤部２５の回転速度が設定部１３ａに設定されたデジタルオーディオデータの再生時間に円盤部２５の１周当たりの回転時間が一致する回転速度に達した後、円盤部２５が１周したとき光センサ部２９のパルス信号の出力数を３００とするようにスリット部２５ａに開口部を設けた場合、１フレームのオーディオデータがＲＡＭ９から読み出される毎の、光センサ部２９のパルス信号の出力数を４（＝３００／７５）とするように、制御部１３はモータ２２の回転速度を制御する。
【００２３】
制御部１３は、光センサ部２９から入力されるパルス信号のパルス幅を計測し、パルス数を数える。制御部１３は、計測したパルス幅及び数えたパルス数を基に、モータ２２の駆動電圧を調整してモータ２２を駆動し回転速度を制御する。
制御部１３は、光センサ部２８から一定時間に入力されるパルス数によって検出した回転速度の誤差が大きくなった場合、回転速度の誤差を解消する方向にモータ２２の回転速度を一時的に変化させ調整する。
【００２４】
スクラッチ再生等の特殊再生を行う場合、制御部１３は、円盤部２５に載置されてともに回転する操作円盤部２０のスリット部２０ａによって光センサ部２８から入力されるパルス信号を用いて、メモリ制御部８によるＲＡＭ９に記憶されたデジタルオーディオデータの読み出し速度を制御する。また、制御部１３は、この間も上述したモータ２２の回転速度の制御をする。本実施例で、スリット部２０ａは、スリット部２５ａと同様に、１周あたりのパルス信号の出力数を３００とするように開口部を設ける。
【００２５】
操作円盤部２０の操作が行われた場合の制御について説明する。制御部１３は、操作円盤部２０のスリット部２０ａによって光センサ部２８から入力されるパルス信号によって、操作円盤部２０の回転方向及び回転速度を検出する。制御部１３は、光センサ部２８から入力されたパルス信号の予め定められた時間内の数に比例して、メモリ制御部８によるＲＡＭ９に記憶されたデジタルオーディオデータの読み出し速度を変化させる。
【００２６】
例えば、操作円盤部２０の１回転あたりのデジタルオーディオデータの再生時間を１秒に設定した場合、デジタルオーディオデータ１フレームあたりのパルス信号の数は４であるが、１フレーム間に入ったパルス数の変化に応じて、次のフレームのデジタルオーディオデータのＲＡＭ９からの読み出し速度を変化させる。１フレーム単位で読み出し速度を制御すると、読み出し速度の変化が頻繁になるので、複数フレーム毎にパルス数をカウントし、平均フレーム数を算出して、ＲＡＭ９からのデジタルオーディオデータの読み出し速度を制御してもよい。
【００２７】
ディスクの通常再生をある位置から開始した後、当該位置に戻ってデジタルオーディオデータを再生する場合の制御について説明する。制御部１３は、ディスクの通常再生を行っている間、円盤部２５の回転に伴いスリット部２５ａが回転することによって光センサ部２９から出力されるパルス数に基づいてデジタルオーディオデータの再生時間を算出する。再生位置を戻すために、操作円盤部２０を逆回転する操作を行うと、制御部１３は、スリット部２５ａが逆回転することによって光センサ部２８から出力されるパルス数に基づいて、戻そうとする分のデジタルオーディオデータの再生時間を算出する。制御部１３は、戻そうとする分の再生時間を、先に通常再生を行った分の再生時間から差し引いて、戻した再生位置に対するデジタルオーディオデータの再生時間を算出し、戻した再生位置からのデジタルオーディオデータの再生を行う。円盤部２５の１周あたりの回転時間を、操作円盤部２０の１周あたりのデジタルオーディオデータの再生時間に一致させているので、ディスクの通常再生をある位置から開始した後、当該位置に戻ってデジタルオーディオデータを再生したい場合、当該位置から円盤部が回転した回数と同じ回数だけ操作円盤部を逆回転させることによって行うことができる。
なお、本実施例はＣＤプレーヤを例にあげて説明したが、本発明は、ＣＤ以外のディスクを再生するディスク再生装置に適用して実施することができる。
【００２８】
【発明の効果】
本発明のディスク再生装置によれば、操作円盤部及び円盤部の回転回数とデジタルオーディオデータの再生時間を一定の比例関係に合わせることができる。従って、スクラッチ再生等の特殊再生を行う場合、操作円盤部に印を付けて操作円盤部を回転操作することによってデジタルオーディオデータの再生位置を合わせることができる。
【図面の簡単な説明】
【図１】本発明のディスク再生装置の一実施例であるＣＤプレーヤの構成を示すブロック図。
【図２】本発明の一実施例のＣＤプレーヤの操作円盤部を含む機構全体を側面から見た断面の構成を示す図。
【符号の説明】
１  ターンテーブル
２  スピンドルモータ
３  ＣＤ
４  サーボ制御部
５  光ピックアップ
６  再生アンプ
７  信号処理部
８  メモリ制御部
９  ＲＡＭ
１０  ＤＡＣ
１１  アンプ
１２  出力端子
１３  制御部
１３ａ  設定部
１４  表示部
１５  操作部
２０  操作円盤部
２１  パネル
２２  モータ
２２ａ  シャフト
２３  固定保持部
２４  保持部
２５  円盤部
２６  シート
２７  ストッパ
２８、２９  光センサ部
【図１】
2004295956.tif 000003
【図２】
2004295956.tif 000004